(57)【要約】【課題】電源ケーブルが外部電源に対して逆差し接続された場合であっても、電源ユニットやレーザ測量機の回路の破損を回避することができる電源ユニットおよびレーザ測量機を提供すること。【解決手段】電源ユニット１００は、外部電源２００から電源ケーブル１５０を介してレーザ測量機に電源を供給する外部電源基板を備える。外部電源基板は、電源ケーブル１５０の接続端子１６１、１６２が外部電源２００のプラスの電源端子２０１と外部電源２００のマイナスの電源端子２０２とに対して逆差し接続された場合に、外部電源２００から電源ケーブル１５０を介してレーザ測量機に電源が供給されないようにして回路の破損を回避するための回路破損回避回路を有する。【選択図】図３
2019039716.tif 000002
【特許請求の範囲】
【請求項１】
レーザ光により測量を行うレーザ測量機に電源供給を行うために装着される電源ユニットであって、
外部電源から電源ケーブルを介して前記レーザ測量機に電源を供給する外部電源基板を備え、
前記外部電源基板は、前記電源ケーブルの接続端子が前記外部電源のプラスの電源端子と前記外部電源のマイナスの電源端子とに対して逆差し接続された場合に、前記外部電源から前記電源ケーブルを介して前記レーザ測量機に電源が供給されないようにして回路の破損を回避するための回路破損回避回路を有することを特徴とする電源ユニット。
【請求項２】
前記回路破損回避回路は、前記電源ケーブルの前記接続端子が前記プラスの電源端子と前記マイナスの電源端子とに対して逆差し接続された場合に、前記逆差し接続の状態を報知する報知部を有することを特徴とする請求項１に記載の電源ユニット。
【請求項３】
前記外部電源基板を保持する電源本体と、
前記電源本体に固定された電源カバーと、
をさらに備え、
前記電源カバーは、前記電源ケーブルが引っ掛けられ前記電源ケーブルを保持するケーブル引掛け部を有することを特徴とする請求項１または２に記載の電源ユニット。
【請求項４】
前記ケーブル引掛け部は、
前記電源カバーの表面に接続された第１支持部と、
前記第１支持部から離れた位置において前記電源カバーの表面に接続された第２支持部と、
前記第１支持部および前記第２支持部に支持され前記電源ケーブルを保持するフック部と、
を有することを特徴とする請求項３に記載の電源ユニット。
【請求項５】
レーザ光により測量を行うレーザ測量機であって、
電源供給を行うために装着される電源ユニットを備え、
前記電源ユニットは、外部電源から電源ケーブルを介して電源を供給する外部電源基板を有し、
前記外部電源基板は、前記電源ケーブルの接続端子が前記外部電源のプラスの電源端子と前記外部電源のマイナスの電源端子とに対して逆差し接続された場合に、前記外部電源から前記電源ケーブルを介して電源が供給されないようにして回路の破損を回避するための回路破損回避回路を有することを特徴とするレーザ測量機。
【発明の詳細な説明】
【技術分野】
【０００１】
本発明は、電源ユニット、および例えば三脚等に載置してレーザ光を射出することで測量を行うレーザ測量機に関する。
【背景技術】
【０００２】
測量機としては、例えばレーザ光を射出することで測量を行うレーザ測量機が知られている。特許文献１のレーザ測量機はその例であり、土木や建築工事などに必要な基準面や基準線を形成する際に用いられる。
【０００３】
特許文献１のレーザ測量機は、ハウジングと、ハウジング内に配置されたレーザ投光器（測定機器）と、を備える。ハウジングは、ベースハウジングと回転ヘッドとを有する。レーザ投光器は、ベースハウジング内に収容されている。レーザ光は、このレーザ投光器から回転ヘッドに向けて射出される。
【０００４】
回転ヘッドは、レーザ投光器から受けたレーザ光を水平方向に偏向すると共に、回転自在な光偏向器を有する。これにより、光偏向器が回転しながらレーザ光が外部に向けて水平に射出される。このようにして、基準線等を形成することができる。
【先行技術文献】
【特許文献】
【０００５】
【特許文献１】特表２０１６−５１０４０７公報
【発明の概要】
【発明が解決しようとする課題】
【０００６】
ところで、この種のレーザ測量機は、土木や建築工事などの現場で単独で測量できるように、電源ユニットを備えている。電源ユニットは、電源ケーブルのプラスクリップとマイナスクリップを用いて、例えば車載用バッテリなどの外部電源のプラスの電源端子とマイナスの電源端子とに対して接続されることがある。この場合には、電源ケーブルを外部電源に対して正しく順差し接続する必要がある。例えば、電源ケーブルのプラスクリップを車載用バッテリのプラスの電源端子に接続し、電源ケーブルのマイナスクリップを車載用バッテリのマイナスの電源端子に接続する必要がある。これにより、外部電源である車載用バッテリは、電源ユニットに対して正しく接続され、レーザ測量機に電源供給することができる。
【０００７】
しかし、実際の測量現場では、電源ケーブルを介して電源ユニットを外部電源に接続する際に、電源ケーブルのプラスクリップが外部電源のマイナスの電源端子に誤って接続され、電源ケーブルのマイナスクリップが外部電源のプラスの電源端子に誤って接続されてしまう、いわゆる電源端子の逆差し接続が行われるおそれがある。
この逆差し接続が起こると、電源ユニットが破損する問題だけではなく、レーザ測量機の本体の回路が破損する等の問題が発生してしまうおそれがある。
【０００８】
本発明は、前記課題を解決するためになされたものであり、電源ケーブルが外部電源に対して逆差し接続された場合であっても、電源ユニットやレーザ測量機の回路の破損を回避することができる電源ユニットおよびレーザ測量機を提供することを目的とする。
【課題を解決するための手段】
【０００９】
前記課題は、本発明によれば、レーザ光により測量を行うレーザ測量機に電源供給を行うために装着される電源ユニットであって、外部電源から電源ケーブルを介して前記レーザ測量機に電源を供給する外部電源基板を備え、前記外部電源基板は、前記電源ケーブルの接続端子が前記外部電源のプラスの電源端子と前記外部電源のマイナスの電源端子とに対して逆差し接続された場合に、前記外部電源から前記電源ケーブルを介して前記レーザ測量機に電源が供給されないようにして回路の破損を回避するための回路破損回避回路を有することを特徴とする電源ユニットにより解決される。
【００１０】
前記構成によれば、外部電源基板は、回路破損回避回路を有する。回路破損回避回路は、電源ケーブルの接続端子が外部電源のプラスの電源端子と外部電源のマイナスの電源端子とに対して逆差し接続された場合に、外部電源から電源ケーブルを介してレーザ測量機に電源が供給されないようにして回路の破損を回避する。これにより、電源ケーブルが外部電源に対して逆差し接続された場合であっても、電源ユニットやレーザ測量機の回路の破損を回避することができる。
【００１１】
好ましくは、前記回路破損回避回路は、前記電源ケーブルの前記接続端子が前記プラスの電源端子と前記マイナスの電源端子とに対して逆差し接続された場合に、前記逆差し接続の状態を報知する報知部を有することを特徴とする。
【００１２】
前記構成によれば、回路破損回避回路は報知部を有する。報知部は、電源ケーブルの接続端子がプラスの電源端子とマイナスの電源端子とに対して逆差し接続された場合に、逆差し接続の状態を報知する。このため、使用者は、直ちに外部電源の逆差し接続に気付くことができ、正しい順差し接続に変えることができる。
【００１３】
好ましくは、前記外部電源基板を保持する電源本体と、前記電源本体に固定された電源カバーと、をさらに備え、前記電源カバーは、前記電源ケーブルが引っ掛けられ前記電源ケーブルを保持するケーブル引掛け部を有することを特徴とする。
【００１４】
前記構成によれば、ケーブル引掛け部には、電源ケーブルが引っ掛けられる。そして、ケーブル引掛け部は、電源ケーブルを保持する。これにより、ケーブル引掛け部は、電源ケーブルの重量が電源ユニットのコネクタ接続部に直接掛かることを抑えることができ、電源ケーブルの重量の一部をいったん負担することができる。このため、電源ユニットのコネクタ接続部が破損することを抑えることができる。また、電源ケーブルの取り扱いを容易にすることができる。
【００１５】
好ましくは、前記ケーブル引掛け部は、前記電源カバーの表面に接続された第１支持部と、前記第１支持部から離れた位置において前記電源カバーの表面に接続された第２支持部と、前記第１支持部および前記第２支持部に支持され前記電源ケーブルを保持するフック部と、を有することを特徴とする。
【００１６】
前記構成によれば、ケーブル引掛け部は、第１支持部と、第２支持部と、フック部と、を有する。第２支持部は、電源カバーの表面に接続された第１支持部から離れた位置において電源カバーの表面に接続されている。フック部は、第１支持部および第２支持部に支持され電源ケーブルを保持する。このように、電源ケーブルを保持するフック部は、電源カバーの表面に接続された第１支持部と、第１支持部から離れた位置において電源カバーの表面に接続された第２支持部と、に支持されている。そのため、フック部に応力が集中することを抑え、フック部に掛かる力を第１支持部と第２支持部とに分散させることができる。これにより、ケーブル引掛け部および電源カバーの破損を抑えることができる。
【００１７】
前記課題は、本発明によれば、レーザ光により測量を行うレーザ測量機であって、電源供給を行うために装着される電源ユニットを備え、前記電源ユニットは、外部電源から電源ケーブルを介して電源を供給する外部電源基板を有し、前記外部電源基板は、前記電源ケーブルの接続端子が前記外部電源のプラスの電源端子と前記外部電源のマイナスの電源端子とに対して逆差し接続された場合に、前記外部電源から前記電源ケーブルを介して電源が供給されないようにして回路の破損を回避するための回路破損回避回路を有することを特徴とするレーザ測量機により解決される。
【００１８】
前記構成によれば、外部電源基板は、回路破損回避回路を有する。回路破損回避回路は、電源ケーブルの接続端子が外部電源のプラスの電源端子と外部電源のマイナスの電源端子とに対して逆差し接続された場合に、外部電源から電源ケーブルを介してレーザ測量機に電源が供給されないようにして回路の破損を回避する。これにより、電源ケーブルが外部電源に対して逆差し接続された場合であっても、電源ユニットやレーザ測量機の回路の破損を回避することができる。
【発明の効果】
【００１９】
本発明によれば、電源ケーブルが外部電源に対して逆差し接続された場合であっても、電源ユニットやレーザ測量機の回路の破損を回避することができる電源ユニットおよびレーザ測量機を提供することができる。
【図面の簡単な説明】
【００２０】
【図１】本発明の実施形態に係るレーザ測量機を表す斜視図である。
【図２】本実施形態の装置本体の構成例を表すブロック図である。
【図３】本実施形態に係る電源ユニットを表す斜視図である。
【図４】本実施形態に係る電源ユニットを表す斜視図である。
【図５】本実施形態に係る電源ユニットを表す斜視図である。
【図６】本実施形態に係る電源ユニットを表す分解斜視図である。
【図７】本実施形態の外部電源基板の電気的な構成例を示すブロック図である。
【図８】本実施形態のケーブル引掛け部の構造例を示す断面図である。
【発明を実施するための形態】
【００２１】
以下に、本発明の好ましい実施形態を、図面を参照して詳しく説明する。
なお、以下に説明する実施形態は、本発明の好適な具体例であるから、技術的に好ましい種々の限定が付されているが、本発明の範囲は、以下の説明において特に本発明を限定する旨の記載がない限り、これらの態様に限られるものではない。また、各図面中、同様の構成要素には同一の符号を付して詳細な説明は適宜省略する。
【００２２】
（レーザ測量機１０の全体構成）
図１を参照して、レーザ測量機１０の全体構成を説明する。
図１は、本発明の実施形態に係るレーザ測量機を表す斜視図である。
図２は、本実施形態の装置本体の構成例を表すブロック図である。
【００２３】
図１に示すレーザ測量機１０は、レーザ光の射出により、土木・建築時の基準面や基準線を形成するもので、レーザ墨出器・回転レーザ装置・ローテーティングレーザ等とも呼ばれる。このレーザ測量機１０は、基準面や基準線を形成するための機器に限られるものではなく、例えば射出したレーザ光を受光して距離や角度を測定する機器などであってもよい。
【００２４】
図１に示すレーザ測量機１０は、レーザ光を射出し、測量対象物やレーザ光を受光する公知の受光素子装置（不図示であり、レベルセンサーとも言う）に照射されることで、基準面や基準線を測定する。このレーザ測量機１０は、例えば三脚の台座上に取付け可能とされている。
【００２５】
レーザ測量機１０は、ハウジング３０と、装置本体１４と、を備える。レーザ測量機１０のハウジング３０は、三脚等の台座に取付けられる。装置本体１４は、ハウジング３０内に収容されて、レーザ光を所定の仕様で射出する装置である。図１において、細線で示す陰影はレーザ測量機の表面の三次元形状を表す。
【００２６】
装置本体１４には、公知のものを利用することができる。装置本体１４の構成例としては、例えば図２に示した構成が挙げられる。図２に示すように、装置本体１４は、レーザ光を射出するレーザ投光器１５と、このレーザ投光器１５から受けたレーザ光を回転しながら外部に射出する回転走査部１６と、この回転走査部１６を回転させるためのモータ１７と、電源ユニット１００と、を有する。この電源ユニット１００は、レーザ測量機１０のハウジング３０内に着脱可能に装着されている。電源ユニット１００は、レーザ測量機１０の回路を構成している、例えばレーザ投光器１５及びモータ１７などにそれぞれ電源を供給する。
【００２７】
レーザ投光器１５は、例えばレーザダイオードおよびコリメートレンズ（不図示）を有し、上方にある回転走査部１６に向けて、光軸ＬＢ１に沿ってレーザ光を射出する。レーザ投光器１５から射出されたレーザ光は、光軸ＬＢ１に沿った空洞を有する筒状部材１９の中を通って、回転走査部１６に照射される。
【００２８】
回転走査部１６は、その内部に保持されたペンタプリズムなどの光偏向器１３を有する。レーザ光の光軸ＬＢ１は、この光偏向器１３により水平方向の光軸ＬＢ２に変わり、レーザ射出口から外部に射出される。この回転走査部１６は、筒状部材１９と接続され、筒状部材１９がギア２０を介して伝達されたモータ１７の回転力により回転することで、光軸ＬＢ１回りに回転自在となる。なお、図２では水平方向の光軸ＬＢ２に射出されたレーザ光のみが例示されているが、本実施形態では、水平方向に対して勾配を有するレーザ光も射出可能とされている。
【００２９】
上述したように、図２に示す電源ユニット１００は、レーザ測量機１０の回路を構成しているレーザ投光器１５やモータ１７などの各回路構成要素に対して電源を供給するものである。この電源ユニット１００は、レーザ測量機１０では重量的に大きなウエイトを占める。従って、レーザ測量機１０の三脚に取り付けた時の安定性を考慮して、電源ユニット１００は、図１に示すハウジング３０内の下部に配置されている。装置本体１４は重く、特に下側に収容された電源ユニット１００が重いことから、レーザ測量機１０の重心は概ね中心部のやや下側にある。
【００３０】
図１に示すハウジング３０は、このような構成を有する装置本体１４を収容している。ハウジング３０は、全体的には卵の長手方向の略半体、或いは達磨のような形状をしており、若干傾いても元の正常な位置に戻るようになっている。
【００３１】
図１と図２に示すように、ハウジング３０は、ハウジング本体部（以下、「本体部」という）３２と、この本体部３２の上部に設けられ、レーザ光を外部に射出するヘッド部３３と、を有する。本体部３２には、上述したレーザ投光器１５、モータ１７、及び電源ユニット１００が収容されている。ヘッド部３３には、回転走査部１６が収容されている。
【００３２】
図１に示すように、ヘッド部３３は、回転走査部１６の周囲を囲む透明なガラス等からなるカバー部３５を有する。カバー部３５は回転走査部１６を保護する。カバー部３５の上部は、ドーム状の天板３６で封止されている。天板３６の上面には、レーザ光を受光する受光素子装置や測量対象物（不図示）に向けて射出するための照準器１２が設けられている。
【００３３】
本体部３２は、剛性および防水性の高いＡＢＳ（アクリロニトリル・ブタジエン・スチレン）樹脂などのプラスチック材料で形成されている。本体部３２の底面には、三脚の台座と接触する脚部２７が形成されている。ネジ穴（不図示）が、脚部２７に囲まれた中央部に形成されている。このネジ穴は、三脚の台座のネジと螺合される。
本体部３２の側面３２Ｂの下部には、乱反射を促進するための乱反射促進部である複数の凹部２６が形成されている。これにより、側面３２Ｂの下部に台座などが衝突して傷ついても、光の乱反射により傷を目立たなくすることができる。
【００３４】
図１に示すように、本体部３２は、一対の取っ手４０，４０が突出している。一対の取っ手４０，４０は、レーザ測量機１０を運搬したり設置場所に持ち上げたりするためのハンドルである。
ハウジング３０の一対の取っ手４０，４０の反対側にある側面には、外側に向かって突出した一対の保護部材７０，７０が設けられている。保護部材７０，７０は、落下時などに地面などがハウジング３０に直接衝突することを防止して外部からの衝撃の軽減を図っている。
なお、図１に示すように、一対の取っ手４０，４０の間には、スイッチボタン、メニューボタン、勾配設定ボタン等の各種の操作ボタンを有する操作部３８が配置されている。
【００３５】
（電源ユニット１００）
次に、上述したレーザ測量機１０に装着されている電源ユニット１００の構造例を、図１と、図３から図５を参照して説明する。
図３〜図５は、本実施形態に係る電源ユニットを表す斜視図である。
なお、図３は、図１に示すレーザ測量機１０の本体部３２において、着脱可能に装着されている電源ユニット１００の構造例と、この電源ユニット１００に接続されている、外部電源としてのバッテリ２００の例を示している。図４は、電源ユニット１００に対して電源ケーブル１５０が引っ掛けられ保持された状態を示す斜視図である。図５は、電源ユニット１００から電源ケーブル１５０が取り外された状態を示す斜視図である。
【００３６】
図３に示す電源ユニット１００は、図１に示す本体部３２の下部において、着脱可能に装着されている。本体部３２の下部には、電源ユニット装着用の空間部６０が設けられている。電源ユニット１００は、電源ユニット装着用の空間部６０に、着脱可能にはめ込んで搭載される。
【００３７】
比較的重量のある電源ユニット１００が、本体部３２の下部の電源ユニット装着用の空間部６０に装着されるので、三脚などに本体部３２を取り付けて測量作業を行う際に、本体部３２の安定性を確保することができる。
図３から図５に示す電源ユニット１００は、バッテリ（外部電源）２００に対して電源ケーブル１５０を介して接続され、測量現場において測量する時には、レーザ測量機１０の回路の構成要素であるレーザ投光器１５及びモータ１７などにそれぞれ電源を供給する。
【００３８】
図３に示すように、この電源ユニット１００は、電源カバー１０１と、電源本体１０２と、を有する。電源カバー１０１は、外部電源カバーともいい、例えば本体部３２と同様に、剛性及び防水性の高いＡＢＳ樹脂などのプラスチック材料で作られている。電源カバー１０１は、電源本体１０２の前面側に固定されており、電源本体１０２を覆っている。
図５に示すように、電源カバー１０１は、電源接続つまみ１１０と、ケーブルコネクタの接続部（コネクタ接続部）１１１と、ケーブル引掛け部１２０と、蓋部材１１５と、を有する。
【００３９】
電源カバー１０１の表面は、本体部３２の表面に合わせて凸状の曲面になっている。この電源カバー１０１の表面において、電源接続つまみ１１０が、ケーブルコネクタの接続部１１１と、ケーブル引掛け部１２０と、の間に配置されている。蓋部材１１５は、ケーブルコネクタの接続部１１１の隣の位置に設けられている。
電源カバー１０１の表面の左側部１０１Ａから右側部１０１Ｂにかけて、ケーブル引掛け部１２０、電源接続つまみ１１０、ケーブルコネクタの接続部１１１、そして蓋部材１１５が、順番に配置されている。
【００４０】
ケーブルコネクタの接続部１１１には、電源ケーブル１５０のコネクタ１５１が差し込まれる。これにより、電源ユニット１００とバッテリ２００とが電気的に接続される。つまり、ケーブルコネクタの接続部１１１は、電源ユニット１００とバッテリ２００とを電気的に接続するためのコネクタの挿入孔である。蓋部材１１５は、弾性変形可能であり、図４に示すように、電源カバー１０１の表面から突き出して設けられている。
【００４１】
図５に示すように、電源ケーブル１５０のコネクタ１５１がケーブルコネクタの接続部１１１に差し込まれていない状態では、蓋部材１１５は、このケーブルコネクタの接続部１１１を封止しておくことができる。これにより、ほこりや水などの液体が、ケーブルコネクタの接続部１１１内に入り込むことを防止できる。
【００４２】
図３に示すように、電源ケーブル１５０は、ケーブル部１４０と、コネクタ１５１と、プラスクリップ（接続端子）１６１と、マイナスクリップ（接続端子）１６２と、を有する。プラスクリップ１６１およびマイナスクリップ１６２は、電源ケーブル１５０の接続端子に相当する。コネクタ１５１は、ケーブル部１４０の一端部に固定されており、例えば図５に示すケーブルコネクタの接続部１１１内に差し込まれ取り付けられる。プラスクリップ１６１およびマイナスクリップ１６２は、ケーブル部１４０の他端部に設けられている。
【００４３】
図３に示すように、プラスクリップ１６１は、バッテリ２００のプラスの電源端子２０１を挟み込むことで電気的に接続される。マイナスクリップ１６２は、バッテリ２００のマイナスの電源端子２０２を挟み込むことで電気的に接続される。
【００４４】
図３に示す外部電源の例としてのバッテリ２００の発生電圧としては、プラス１０Ｖからプラス３０Ｖ程度である。バッテリ２００としては、例えば２４Ｖ電圧の自動車搭載用のバッテリを用いることができる。しかし、外部電源は、車載用のバッテリには限られず、他の種類あるいは用途のバッテリであっても良い。また、バッテリ２００の電圧は、２４Ｖに限られない。
【００４５】
次に、図６を参照して、電源ユニット１００の電源本体１０２の構造例を説明する。
図６は、本実施形態に係る電源ユニットを表す分解斜視図である。
図６に示すように、電源本体１０２は、基部１４９と、外部電源基板１３０と、上部ケース１７１と、下部ケース１７２と、外部電源用接点１７５，１７６と、を有する。外部電源基板１３０は、カバー１３０Ａにより覆われている。
【００４６】
基部１４９は、電源カバー１０１の内側に固定されている。上部ケース１７１と下部ケース１７２とは、互いに嵌まることで、例えば充放電可能な二次電池や乾電池などの一次電池を収容する。但し、本実施形態に係る電源ユニット１００では、二次電池や一次電池は必ずしも設けられなくともよい。
【００４７】
基部１４９は、下部ケース１７２および上部ケース１７１を受けて保持している。上部ケース１７１および下部ケース１７２には、外部電源用接点１７５，１７６が取り付けられている。図２に示すように、外部電源用接点１７５，１７６は、レーザ測量機１０のレーザ投光器１５及びモータ１７などにそれぞれ電気的に接続される。
【００４８】
図７は、本実施形態の外部電源基板の電気的な構成例を示すブロック図である。
図７（Ａ）は、電源ケーブル１５０のプラスクリップ１６１とマイナスクリップ１６２とが、バッテリ２００のプラスの電源端子２０１とマイナスの電源端子２０２とにそれぞれ正しく接続された順差し接続状態を示している。すなわち、電源ケーブル１５０のプラスクリップ１６１がバッテリ２００のプラスの電源端子２０１に接続され、電源ケーブル１５０のマイナスクリップ１６２がバッテリ２００のマイナスの電源端子２０２に接続された状態（順差し状態）を示している。
【００４９】
これに対して、図７（Ｂ）は、電源ケーブル１５０のプラスクリップ１６１とマイナスクリップ１６２とが、バッテリ２００のマイナスの電源端子２０２とプラスの電源端子２０１とにそれぞれ誤って接続された、逆差し接続状態を示している。すなわち、電源ケーブル１５０のプラスクリップ１６１がバッテリ２００のマイナスの電源端子２０２に接続され、電源ケーブル１５０のマイナスクリップ１６２がバッテリ２００のプラスの電源端子２０１に接続された状態（逆差し状態）を示している。
【００５０】
図７に示す外部電源基板１３０は、電源端子逆差し時の回路破損回避回路３００を有する。
この電源端子逆差し時の回路破損回避回路３００は、電源ケーブル１５０のプラスクリップ１６１とマイナスクリップ１６２が、バッテリ２００のプラスの電源端子２０１とマイナスの電源端子２０２に対して逆差し接続された場合に、バッテリ２００から電源ケーブル１５０を介して、レーザ測量機１０の回路を構成しているレーザ投光器１５及びモータ１７側に電源供給されないようにする。
【００５１】
すなわち、電源ユニット１００がレーザ測量機１０のハウジング３０の電源ユニット装着用の空間部６０内に装着されている状態において、バッテリ２００が逆差し接続されても、バッテリ２００から電源ケーブル１５０を介してレーザ測量機１０の回路を構成しているレーザ投光器１５及びモータ１７側には電源が供給されない。そのため、レーザ測量機１０の回路の破損を回避できる。これにより、電源ケーブル１５０がバッテリ２００に対して逆差し接続された場合であっても、電源ユニット１００やレーザ測量機１０の回路の破損を回避することができる。
【００５２】
図７（Ａ）に示す例では、電源端子逆差し時の回路破損回避回路３００は、入力フィルタ１８１と、電圧ゾーン通過部１８２と、ＤＣ／ＤＣ変換部１８３と、報知部１８４と、を有する。
【００５３】
入力フィルタ１８１は、バッテリ２００が発生する例えばプラス２４Ｖの適正な電圧を受け入れるが、バッテリ２００が順差し接続であっても、逆差し接続であっても、突発的な高電圧、例えば雷などによる過大電圧の入力を防止する機能を有する。これにより、外部電源基板１３０や図２に示すレーザ投光器１５及びモータ１７などは、雷などによる過大電圧の入力から保護される。
【００５４】
電圧ゾーン通過部１８２は、バンドパスフィルタなどのように、予め定められた電圧範囲の電圧を通すことができる。電圧ゾーン通過部１８２は、例えば通過電圧範囲として、プラス８．５Ｖからプラス３２Ｖを通すことができ、しかも入力フィルタ１８１を通ってきたマイナス電圧（負電圧）を阻止したり、過大電圧を阻止したりする。ＤＣ／ＤＣ変換部１８３は、電圧ゾーン通過部１８２を通過したプラス８．５Ｖからプラス３２Ｖの電圧をプラス６Ｖに変換する。ＤＣ／ＤＣ変換部１８３によりプラス６Ｖに変換された電圧は、外部電源用接点１７５，１７６を介してレーザ測量機１０の回路を構成しているレーザ投光器１５及びモータ１７などに供給される。
【００５５】
図７（Ｂ）に示すように、電源ケーブル１５０のプラスクリップ１６１とマイナスクリップ１６２が、バッテリ２００のマイナスの電源端子２０２とプラスの電源端子２０１にそれぞれ誤って接続された状態、すなわち逆差し接続が行われた状態であると、電圧ゾーン通過部１８２は、負電圧である例えばマイナス２４Ｖを検出する。
【００５６】
この際には、電圧ゾーン通過部１８２は、入力フィルタ１８１を通して供給された電圧を遮断するとともに、報知部１８４に対して負電圧を検出したことを通知するための負電圧信号Ｓを送る。報知部１８４は、音で報知するブザーや、音声で通知するスピーカ、あるいは発光により視覚で通知する発光部の１種もしくは全部を備えている。
【００５７】
これにより、報知部１８４は、バッテリ２００が逆差し接続された状態であることを使用者に対して通知して警告することができ、ブザー音を発生したり、スピーカによる音声を発生したり、あるいは発光部を発光させることで、使用者に対して視覚的に警告する。このため、使用者は、バッテリ２００が逆差し接続であることを、即座にしかも確実に知ることができるので、逆差し接続を順差し接続に直して、正しい接続に変えることができる。
【００５８】
電圧ゾーン通過部１８２が、バッテリ２００からの例えばプラス２４Ｖの適正な電圧を通過させると、ＤＣ／ＤＣ変換部１８３は、電圧ゾーン通過部１８２を通過したプラス８．５Ｖからプラス３２Ｖの入力電圧、例えばプラス２４Ｖの適正な入力電圧を、必要とする出力電圧である例えばプラス６Ｖに変換して、外部電源用接点１７５，１７６から出力できる。
【００５９】
図８は、本実施形態のケーブル引掛け部の構造例を示す断面図である。
図８に示すケーブル引掛け部１２０は、電源カバー１０１の表面において突出するようにして形成されている。ケーブル引掛け部１２０は、電源ケーブル１５０のケーブル部１４０の一部を矢印Ｘで示すように差し込むことで、ケーブル部１４０を電源カバー１０１側で保持する。
【００６０】
具体的には、ケーブル引掛け部１２０は、第１支持部１２３と、第２支持部１２４と、フック部１２５と、を有する。第１支持部１２３および第２支持部１２４は、互いに離れた位置において電源カバー１０１の表面に接続されている。フック部１２５は、第１支持部１２３および第２支持部１２４に支持され、電源ケーブル１５０を保持する。また、ケーブル引掛け部１２０は、ケーブル部１４０の一部をはめ込んで収容する収容部１２１と、空隙部１２２と、を有する。収容部１２１は、フック部１２５と、電源カバー１０１の表面と、の間の空間であり、ケーブル部１４０の太さに合わせて形成されている。収容部１２１は、ケーブル部１４０の一部をはめ込んで収容し易いようにするために、断面ほぼＵ型を呈している。空隙部１２２は、第１支持部１２３と第２支持部１２４との間の空間である。
【００６１】
フック部１２５は、ケーブル部１４０が浮き上がらないようにケーブル部１４０を着脱可能に引掛けて保持可能である。ケーブル部１４０の一部分が収容部１２１にはめ込まれる際には、フック部１２５は、上方に向けて凸状に形成され、片持ちばり型の形状を有しているので、Ｒ方向に弾性変形する。
【００６２】
また、フック部１２５は、電源カバー１０１の表面に接続された第１支持部１２３と、第１支持部１２３から離れた位置において電源カバー１０１の表面に接続された第２支持部１２４と、に支持されている。そのため、フック部１２５に応力が集中することを抑え、フック部１２５に掛かる力を第１支持部１２３と第２支持部１２４とに分散させることができる。これにより、ケーブル引掛け部１２０および電源カバー１０１の破損を抑えることができる。
【００６３】
ケーブル引掛け部１２０は、電源ケーブル１５０のケーブル部１４０を引っ掛けて保持することにより、電源ケーブル１５０の重量が電源カバー１０１のケーブルコネクタの接続部１１１に直接掛かることを抑えることができ、電源ケーブル１５０の重量の一部をいったん負担することができる。このため、電源カバー１０１のケーブルコネクタの接続部１１１が破損することを抑えることができる。また、電源ケーブル１５０の取り扱いを容易にすることができる。
【００６４】
以上、本発明の実施形態について説明した。しかし、本発明は、上記実施形態に限定されず、特許請求の範囲を逸脱しない範囲で種々の変更を行うことができる。上記実施形態の構成は、その一部を省略したり、上記とは異なるように任意に組み合わせたりすることができる。
【符号の説明】
【００６５】
１０・・・レーザ測量機、  １２・・・照準器、  １３・・・光偏向器、  １４・・・装置本体、  １５・・・レーザ投光器、  １６・・・回転走査部、  １７・・・モータ、  １９・・・筒状部材、  ２０・・・ギア、  ２６・・・凹部、  ２７・・・脚部、  ３０・・・ハウジング、  ３２・・・本体部、  ３２Ｂ・・・側面、  ３３・・・ヘッド部、  ３５・・・カバー部、  ３６・・・天板、  ３８・・・操作部、  ４０・・・取っ手、  ６０・・・空間部。  ７０・・・保護部材、  １００・・・電源ユニット、  １０１・・・電源カバー、  １０１Ａ・・・左側部、  １０１Ｂ・・・右側部、  １０２・・・電源本体、  １１０・・・電源接続つまみ、  １１１・・・接続部、  １１５・・・蓋部材、  １２０・・・ケーブル引掛け部、  １２１・・・収容部、  １２２・・・空隙部、  １２３・・・第１支持部、  １２４・・・第２支持部、  １２５・・・フック部、  １３０・・・外部電源基板、  １３０Ａ・・・カバー、  １４０・・・ケーブル部、  １４９・・・基部、  １５０・・・電源ケーブル、  １５１・・・コネクタ、  １６１・・・プラスクリップ、  １６２・・・マイナスクリップ、  １７１・・・上部ケース、  １７２・・・下部ケース、  １７５，１７６・・・外部電源用接点、  １８１・・・入力フィルタ、  １８２・・・電圧ゾーン通過部、  １８３・・・変換部、  １８４・・・報知部、  ２００・・・バッテリ、  ２０１、２０２・・・電源端子、  ３００・・・回路破損回避回路、  ＬＢ１、ＬＢ２・・・光軸、  Ｓ・・・負電圧信号
【図１】
2019039716.tif 000003
【図２】
2019039716.tif 000004
【図３】
2019039716.tif 000005
【図４】
2019039716.tif 000006
【図５】
2019039716.tif 000007
【図６】
2019039716.tif 000008
【図７】
2019039716.tif 000009
【図８】
2019039716.tif 000010